(57)【要約】【課題】構造物から取り外された状態において、破損が抑制される電子機器を提供すること。【解決手段】電子機器は、筺体外側に第１の嵌合部を備え、構造物に固定される座部と、筺体外側に第１の嵌合部と着脱自在の第２の嵌合部を備えた電子機器本体と、を備え、第２の嵌合部は、第１の嵌合部を嵌入する窪みを備え、窪みの底面と対向する第１の嵌合部の面は、第１のガラスによって構成され、窪みの底面は、第２のガラスによって構成され、座部の筺体内側であって、平面視において第１のガラスの外縁内に収まる位置に、電力を無線送電する送電コイルが備えられており、電子機器本体の筺体内側であって、平面視において第２のガラスの外縁内に収まる位置に、電力を受電する受電コイルが備えられている。【選択図】図３
2020144157.tif 000002
【特許請求の範囲】
【請求項１】
筺体外側に第１の嵌合部を備え、構造物に固定される座部と、
筺体外側に前記第１の嵌合部と着脱自在の第２の嵌合部を備えた電子機器本体と、を備え、
前記第２の嵌合部は、前記第１の嵌合部を嵌入する窪みを備え、
前記窪みの底面と対向する前記第１の嵌合部の面は、第１のガラスによって構成され、
前記窪みの底面は、第２のガラスによって構成され、
前記座部の筺体内側であって、平面視において前記第１のガラスの外縁内に収まる位置に、電力を無線送電する送電コイルが備えられており、
前記電子機器本体の筺体内側であって、平面視において前記第２のガラスの外縁内に収まる位置に、前記電力を受電する受電コイルが備えられている、
電子機器。
【請求項２】
前記電子機器本体の筐体は、ステンレスによって構成される、
請求項１に記載の電子機器。
【請求項３】
前記座部の筺体内側であって、平面視において前記第１のガラスの外縁内に収まる位置に、第１のアンテナが備えられており、
前記電子機器本体の筺体内側であって、平面視において前記第２のガラスの外縁内に収まる位置に、前記第１のアンテナと通信する第２のアンテナが備えられている、
請求項２に記載の電子機器。
【請求項４】
前記電子機器本体は、監視カメラのカメラ本体である、
請求項１から３のいずれか一項に記載の電子機器。
【請求項５】
筺体外側に第１の嵌合部を備え、構造物に固定される座部と、
筺体外側に前記第１の嵌合部と着脱自在の第２の嵌合部を備えた電子機器本体と、を備え、
前記第２の嵌合部は、前記第１の嵌合部を嵌入する窪みを備え、
前記窪みの底面と対向する前記第１の嵌合部の面は、第１のガラスによって構成され、
前記窪みの底面は、第２のガラスによって構成され、
前記座部の筺体内側であって、平面視において前記第１のガラスの外縁内に収まる位置に、第１のアンテナが備えられており、
前記電子機器本体の筺体内側であって、平面視において前記第２のガラスの外縁内に収まる位置に、前記第１のアンテナと通信する第２のアンテナが備えられている、
電子機器。
【請求項６】
前記電子機器本体の筐体は、ステンレスによって構成される、
請求項５に記載の電子機器。
【請求項７】
前記座部の筺体内側であって、平面視において前記第１のガラスの外縁内に収まる位置に、電力を無線送電する送電コイルが備えられており、
前記電子機器本体の筺体内側であって、平面視において前記第２のガラスの外縁内に収まる位置に、前記電力を受電する受電コイルが備えられている、
請求項５または６に記載の電子機器。
【請求項８】
前記電子機器本体は、監視カメラのカメラ本体である、
請求項５から７のいずれか一項に記載の電子機器。
【発明の詳細な説明】
【技術分野】
【０００１】
本開示は、電子機器に関する。
【背景技術】
【０００２】
従来、撮像装置の信頼性を向上する撮像装置が提案されている（例えば、特許文献１を参照）。この撮像装置は、画像情報を取得する撮像部と、撮像部に電力を供給する電源部と、送電機器から無線で電力を受電し、受電した電力を電源部に供給する受電用コイルと、電源部及び受電用コイルを格納し、撮像部を保持する筐体と、を備え、筐体は、送電機器に対して可動する。
【先行技術文献】
【特許文献】
【０００３】
【特許文献１】特開２０１５−６１２３０号公報
【発明の概要】
【発明が解決しようとする課題】
【０００４】
建物等の構造物に設置される監視カメラ等の電子機器は、時間の経過により、汚れ等が付着する。建物等から取り外され、清掃される電子機器は、建物等から取り外されて持ち運びされる際、または、清掃される際に、例えば、他の物体等と衝突して破損する可能性がある。
【０００５】
本開示の非限定的な実施例は、構造物から取り外された状態において、破損が抑制される電子機器の提供に資する。
【課題を解決するための手段】
【０００６】
本開示の一態様に係る電子機器は、筺体外側に第１の嵌合部を備え、構造物に固定される座部と、筺体外側に前記第１の嵌合部と着脱自在の第２の嵌合部を備えた電子機器本体と、を備え、前記第２の嵌合部は、前記第１の嵌合部を嵌入する窪みを備え、前記窪みの底面と対向する前記第１の嵌合部の面は、第１のガラスによって構成され、前記窪みの底面は、第２のガラスによって構成され、前記座部の筺体内側であって、平面視において前記第１のガラスの外縁内に収まる位置に、電力を無線送電する送電コイルが備えられており、前記電子機器本体の筺体内側であって、平面視において前記第２のガラスの外縁内に収まる位置に、前記電力を受電する受電コイルが備えられている。
【０００７】
本開示の一態様に係る電子機器は、筺体外側に第１の嵌合部を備え、構造物に固定される座部と、筺体外側に前記第１の嵌合部と着脱自在の第２の嵌合部を備えた電子機器本体と、を備え、前記第２の嵌合部は、前記第１の嵌合部を嵌入する窪みを備え、前記窪みの底面と対向する前記第１の嵌合部の面は、第１のガラスによって構成され、前記窪みの底面は、第２のガラスによって構成され、前記座部の筺体内側であって、平面視において前記第１のガラスの外縁内に収まる位置に、第１のアンテナが備えられており、前記電子機器本体の筺体内側であって、平面視において前記第２のガラスの外縁内に収まる位置に、前記第１のアンテナと通信する第２のアンテナが備えられている。
【０００８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、構造物から取り外された状態において、破損が抑制される。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】実施の形態に係る監視カメラの斜視図
【図２】カメラ本体が座部から分離されたときの監視カメラの斜視図
【図３】カメラ本体が座部から分離されたときの監視カメラの斜視図
【図４】嵌合部の側面図
【図５】嵌合部の斜視図
【図６】嵌合部の斜視図
【図７】嵌合部の断面図
【図８】監視カメラのブロック構成例を示した図
【発明を実施するための形態】
【００１２】
以下、図面を適宜参照して、本発明の実施の形態について、詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために、提供されるのであって、これらにより特許請求の範囲に記載の主題を限定することは意図されていない。以下では、本開示の電子機器を監視カメラに適用した場合について説明する。
【００１４】
図１は、実施の形態に係る監視カメラ１の斜視図である。図１に示すように、監視カメラ１は、座部１１と、カメラ本体１２と、を有している。以下では、監視カメラ１に対し、図１に示す３軸の直交座標軸を設定する。
【００１５】
座部１１は、構造物に固定される。構造物は、例えば、建物の屋内または屋外の壁、室内の天井、電柱、または信号機等であってもよい。図１に示す構造物Ａ１は、建物の壁の一部を示している。
【００１６】
カメラ本体１２は、座部１１に対して着脱自在である。図１では、カメラ本体１２は、座部１１に取り付けられた様子を示している。カメラ本体１２は、構造物Ａ１に固定された座部１１に取り付けられることにより、構造物Ａ１に固定される。また、カメラ本体１２は、座部１１から取り外されることにより、構造物Ａ１から分離される（例えば、図２および図３を参照）。
【００１７】
座部１１には、電源ラインにより、例えば、ＡＣ（Alternating Current）１００Ｖの電源が供給される。図１の点線で示す電源ラインＡ２は、構造物Ａ１内に配線された電源ラインを示している。
【００１８】
座部１１は、電源ラインＡ２により供給される電力を無線給電によって、座部１１に取り付けられたカメラ本体１２に供給する。カメラ本体１２は、座部１１から無線給電される電力によって動作する。
【００１９】
座部１１は、ネットワークケーブルを介して、インターネット等のネットワークと接続される。図１の点線で示すネットワークケーブルＡ３は、構造物Ａ１内に配線されたネットワークケーブルを示している。
【００２０】
座部１１に取り付けられたカメラ本体１２は、座部１１との無線通信を介して、ネットワークに接続されたサーバまたは端末装置と通信する。
【００２１】
なお、座部１１は、Ｗｉ−ｆｉ（登録商標）またはブルートゥース（登録商標）等の無線通信によって、インターネット等のネットワークに接続されてもよい。また、座部１１は、電源ラインＡ２（ＰＬＣ：Power Line Communication）を介して、インターネット等のネットワークに接続されてもよい。この場合、座部１１は、ネットワークケーブルＡ３に接続されなくてもよい。
【００２２】
図２は、カメラ本体１２が座部１１から分離されたときの監視カメラ１の斜視図である。図２において、図１と同じものには同じ符号が付してある。
【００２３】
図２に示すように、座部１１は、筺体外側に円筒形状を有した嵌合部２０を有している。嵌合部２０は、端部（端面）に円形状の板状のガラス２１を有している。
【００２４】
座部１１のガラス２１を除く筐体は、例えば、ステンレスによって構成される。ステンレスには、例えば、ＳＵＳ３１６Ｌが用いられてもよい。
【００２５】
カメラ本体１２は、軸１３を有している。カメラ本体１２は、軸１３を回転軸として、チルト方向に回転する。例えば、カメラ本体１２は、図２に示す両矢印Ａ４の方向に回転する。
【００２６】
カメラ本体１２は、軸１４を有している。カメラ本体１２は、軸１４を回転軸として、パン方向に回転する。例えば、カメラ本体１２は、図２に示す両矢印Ａ５の方向に回転する。
【００２７】
図３は、カメラ本体１２が座部１１から分離されたときの監視カメラ１の斜視図である。図３において、図１および図２と同じものには同じ符号が付してある。
【００２８】
図３に示すように、カメラ本体１２は、筺体外側に円筒形状を有した嵌合部３０を有している。嵌合部３０は、座部１１の嵌合部２０を嵌入する、円筒形状の窪み３０ａを有している。座部１１の嵌合部２０の一部は、嵌合部３０の窪み３０ａ内に収まる。嵌合部３０の窪み３０ａの底面は、ガラス３１によって構成される。
【００２９】
カメラ本体１２のガラス３１を除く筐体は、例えば、ステンレスによって構成される。ステンレスには、例えば、ＳＵＳ３１６Ｌが用いられてもよい。
【００３０】
図４は、嵌合部２０，３０の側面図である。図４において、図１〜図３と同じものには同じ符号が付してある。
【００３１】
嵌合部２０は、径の異なる２つの円筒を組み合わせた形状を有している。例えば、図４に示すように、嵌合部２０の端部側（端面側）の円筒形状部分Ａ１１ａの径は、座部１１の本体側の円筒形状部分Ａ１１ｂの径より小さい。
【００３２】
図４の嵌合部３０に示す点線Ａ１２は、嵌合部３０に形成された窪み３０ａの内壁を示している。嵌合部２０の円筒形状部分Ａ１１ｂの径は、嵌合部３０の窪み３０ａの径より大きい。
【００３３】
一方、嵌合部２０の端部側の円筒形状部分Ａ１１ａの径は、円筒形状部分Ａ１１ａが、嵌合部３０に形成された窪み３０ａに収まる大きさを有している。例えば、嵌合部２０の端部側の円筒形状部分Ａ１１ａの径は、円筒形状部分Ａ１１ａの周面が、嵌合部３０の窪み３０ａの周面（図４の点線Ａ１２に示す部分）に接する大きさを有している。
【００３４】
これにより、嵌合部３０の上端Ａ１３が、嵌合部２０の本体側の円筒形状部分Ａ１１ａに接するまで（嵌合部３０の上端Ａ１３が、図４の矢印Ａ１４に示す部分に位置するまで）、嵌合部３０は、嵌合部２０を嵌入する。
【００３５】
ここで、座部１１は、座部１１に取り付けられたカメラ本体１２に対し、無線によって電力を送電する。座部１１からカメラ本体１２への無線給電は、嵌合部２０，３０において行われる。無線給電には、例えば、磁界共鳴方式、電磁誘導方式、電界結合方式、または電波受信方式が適用されてもよい。
【００３６】
また、座部１１とカメラ本体１２は、嵌合部２０，３０において近距離無線通信を行う。座部１１とカメラ本体１２は、例えば、ＰＬＣ通信の通信形式に基づいた通信を行ってもよい。
【００３７】
このように、カメラ本体１２は、無線給電によって電力が供給される。また、カメラ本体１２は、座部１１と無線通信を行う。これにより、カメラ本体１２は、座部１１から取り外されるとき、電源ケーブルおよび通信ケーブルを外さなくて済む。すなわち、カメラ本体１２の嵌合部３０が、座部１１の嵌合部２０から外されると、カメラ本体１２は、座部１１（構造物Ａ１）に対し、直ちにフリーになる。
【００３８】
上記したように、カメラ本体１２の嵌合部３０は、窪み３０ａを有し、窪み３０ａの底面は、ガラス３１によって構成される。図７で説明するが、ガラス３１の下側（−ｚ軸方向側）には、電力を受電する受電コイルと、座部１１と無線通信を行うアンテナとが配置される。
【００３９】
この配置によって、ガラス３１、受電コイル、およびアンテナは、カメラ本体１２の筐体表面（例えば、図４に示す嵌合部３０の上端Ａ１３）から、奥まった位置に配置される。従って、座部１１から取り外されたカメラ本体１２のガラス３１、受電コイル、およびアンテナは、他の物体との衝突等による破損から保護される。
【００４０】
図５は、嵌合部２０，３０の斜視図である。図５において、図１〜図４と同じものには同じ符号が付してある。
【００４１】
図５に示すように、嵌合部２０の端面は、ガラス２１と、輪部材２２と、によって構成されている。輪部材２２は、中央部分に開口を有した輪形状の板状部材である。ガラス２１は、輪部材２２の開口部分に配置される。
【００４２】
輪部材２２は、外側の縁に３つの鍔部２２ａ〜２２ｃを有している。３つの鍔部２２ａ〜２２ｃにおける径は、３つの鍔部２２ａ〜２２ｃが形成されていない部分の径より大きい。また、輪部材２２は、外側の縁にＵ字形状の窪み２３を有している。
【００４３】
図６は、嵌合部２０，３０の斜視図である。図６において、図１〜図５と同じものには同じ符号が付してある。図６には、図５に示した鍔部２２ａ，２２ｂが示してある。
【００４４】
図６に示すように、嵌合部３０の窪み３０ａの底面は、ガラス３１と、輪部材３２と、によって構成されている。輪部材３２は、中央に開口を有した輪形状の板状部材である。ガラス３１は、輪部材３２の開口部分に配置される。
【００４５】
輪部材３２は、外側の縁に３つの受け部３２ａ〜３２ｃを有している。受け部３２ａ〜３２ｃは、嵌合部３０の窪み３０ａの底面より高くなっている。
【００４６】
受け部３２ｃは、外側の縁に沿った形状の溝３２ｃａを有している。受け部３２ｃは、矢印Ａ２１に示す位置から、矢印Ａ２２に示す位置まで、溝３２ｃａを有している。
【００４７】
受け部３２ｃの溝３２ｃａは、図６に示す矢印Ａ２１に示す位置から、図５に示した鍔部２２ｃが挿入される。図５に示した鍔部２２ｃは、図６に示す矢印Ａ２２に示す位置まで、溝３２ｃａに沿って挿入される。
【００４８】
受け部３２ａも、受け部３２ｃの溝３２ｃａと同様に、図５に示した鍔部２２ａが挿入される溝が形成されている。受け部３２ｂも、受け部３２ｃの溝３２ｃａと同様に、図５に示した鍔部２２ｂが挿入される溝が形成されている。
【００４９】
嵌合部３０は、ボタン３３ａと、ピン３３ｂと、を有している。ボタン３３ａは、嵌合部３０の外側の周面に配置されている。ボタン３３ａは、窪み３０ａの底面の法線方向（±ｚ軸方向）に可動する。
【００５０】
ピン３３ｂは、窪み３０ａの底面に配置されている。ピン３３ｂは、ボタン３３ａの動きに連動して、嵌合部３０における窪み３０ａの底面の法線方向に可動する。ピン３３ｂは、例えば、ばね等の付勢部材によって、通常、嵌合部３０の窪み３０ａの底面より飛び出している。ピン３３ｂは、例えば、円筒形状を有し、図５に示した窪み２３と嵌合する形状を有している。
【００５１】
カメラ本体１２を座部１１に固定するときは、嵌合部２０の鍔部２２ａ〜２２ｃが、嵌合部３０の受け部３２ａ〜３２ｃに接触しないように、嵌合部３０の窪み３０ａに、嵌合部２０を嵌入する。そして、嵌合部３０を回し、嵌合部２０の鍔部２２ａ〜２２ｃを、嵌合部３０の受け部３２ａ〜３２ｃの溝に挿入する。嵌合部３０のピン３３ｂが、嵌合部２０の輪部材２２の窪み２３に嵌ると、カメラ本体１２は、座部１１に固定される。
【００５２】
カメラ本体１２を座部１１から取り外すときは、ピン３３ｂが窪み３０ａの底面に引っ込むようにボタン３３ａを操作する（−ｚ軸方向にボタン３３ａを下げる）。ピン３３ｂが窪み３０ａの底面から引っ込むことにより、カメラ本体１２は、座部１１に対して回転可能になる。カメラ本体１２を回して、鍔部２２ａ〜２２ｃを、受け部３２ａ〜３２ｃの溝から外すことにより、カメラ本体１２は、座部１１から取り外せる。
【００５３】
図７は、嵌合部２０，３０の断面図である。図７において、図１〜図６と同じものには同じ符号が示している。図７に示すように、カメラ本体１２が座部１１に取り付けられると、座部１１のガラス２１の面と、カメラ本体１２のガラス３１の面とは対向し、近接する。
【００５４】
図７に示すように、嵌合部２０は、送電コイル２４と、アンテナ２５と、を有している。嵌合部３０は、受電コイル３４と、アンテナ３５と、を有している。
【００５５】
送電コイル２４は、ガラス２１の下側（＋ｚ軸方向側）に配置されている。例えば、送電コイル２４は、座部１１の筐体内側であって、平面視において（ｚ軸方向から見て）ガラス２１の外縁内に収まる位置に配置される。送電コイル２４は、例えば、ガラス２１の下面に近接して、または、接して配置されてもよい。
【００５６】
送電コイル２４は、中央に開口を有した輪形状を有している。送電コイル２４には、種々の巻き方が用いられてもよい。例えば、送電コイル２４には、整列巻またはアルファ巻が用いられてもよい。
【００５７】
アンテナ２５は、ガラス２１の下側（＋ｚ軸方向側）に配置されている。例えば、アンテナ２５は、座部１１の筐体内側であって、平面視においてガラス２１の外縁内に収まる位置に配置される。アンテナ２５は、例えば、ガラス２１の下面に接して、または、近接して配置されてもよい。
【００５８】
アンテナ２５は、中央に開口を有した輪形状を有している。アンテナ２５の中央の開口部分に送電コイル２４が配置される。アンテナ２５は、例えば、アンテナ２５の内側が、送電コイル２４の外側と接するように配置されてもよい。アンテナ２５には、例えば、ループアンテナが用いられてもよい。
【００５９】
受電コイル３４は、ガラス３１の下側（−ｚ軸方向側）に配置されている。例えば、受電コイル３４は、カメラ本体１２の筐体内側であって、平面視においてガラス３１の外縁内に収まる位置に配置される。受電コイル３４は、例えば、ガラス３１の下面に近接して、または、接して配置されてもよい。
【００６０】
受電コイル３４は、中央に開口を有した輪形状を有している。受電コイル３４には、種々の巻き方が用いられてもよい。例えば、受電コイル３４には、整列巻またはアルファ巻が用いられてもよい。
【００６１】
アンテナ３５は、ガラス３１の下側（−ｚ軸方向側）に配置されている。例えば、アンテナ３５は、カメラ本体１２の筐体内側であって、平面視においてガラス３１の外縁内に収まる位置に配置される。アンテナ３５は、例えば、ガラス３１の下面に接するように、または、近接して配置されてもよい。
【００６２】
アンテナ３５は、中央に開口を有した輪形状を有している。アンテナ３５の中央の開口部分に受電コイル３４が配置される。アンテナ３５は、例えば、アンテナ３５の内側が、受電コイル３４の外側と接するように配置されてもよい。アンテナ３５には、例えば、ループアンテナが用いられてもよい。
【００６３】
送電コイル２４と受電コイル３４は、カメラ本体１２が座部１１に取り付けられたとき、送電コイル２４の中心と受電コイル３４の中心とが一致するように、嵌合部２０，３０に配置される。アンテナ２５とアンテナ３５は、カメラ本体１２が座部１１に取り付けられたとき、アンテナ２５の中心とアンテナ３５の中心とが一致するように、嵌合部２０，３０に配置される。
【００６４】
座部１１からカメラ本体１２への送電電力が１０Ｗであり、座部１１とカメラ本体１２との間の通信速度が２４０Ｍｂｐｓである場合、ガラス２１，３１、送電コイル２４、受電コイル３４、およびアンテナ２５，３５の各寸法は、以下の値が好ましい。各寸法が以下の値のとき、送電電力１０Ｗおよび通信速度２４０Ｍｂｐｓが得られるとともに、ガラス２１，３１において、所望の強度が得られる。
【００６５】
送電コイル２４および受電コイル３４の内径（中央の開口の直径）は、例えば、９ｍｍである。送電コイル２４および受電コイル３４の外径（外周の直径）は、例えば、３４ｍｍである。アンテナの外径（外周の直径）は、例えば、４４ｍｍである。カメラ本体１２が座部１１に取り付けられたときの送電コイル３４と受電コイル３４とが対向する距離は、例えば、７．８ｍｍである。
【００６６】
ガラス２１，３１の直径は、例えば、５８ｍｍである。ガラス２１，３１の厚さは、例えば、３ｍｍである。カメラ本体１２が座部１１に取り付けられたときのガラス２１，３１の対向する距離は、例えば、０．８ｍｍである。
【００６７】
下記の値の範囲であっても、送電電力１０Ｗおよび通信速度２４０Ｍｂｐｓが得られるとともに、ガラス２１，３１において、所望の強度が得られる。例えば、送電コイル２４および受電コイル３４の内径は、７ｍｍ以上、１１ｍｍ以下であってもよい。送電コイル２４および受電コイル３４の外径は、３１ｍｍ以上、３７ｍｍ以下であってもよい。アンテナの外径（外周の直径）は、４１ｍｍ以上、４７ｍｍ以下であってもよい。カメラ本体１２が座部１１に取り付けられたときの送電コイル３４と受電コイル３４とが対向する距離は、例えば、６．８ｍｍ以上、８．８ｍｍ以下であってもよい。
【００６８】
ガラス２１，３１の直径は、５５ｍｍ以上、６１ｍｍ以下であってもよい。ガラス２１，３１の厚さは、例えば、２ｍｍ以上、４ｍｍ以下であってもよい。カメラ本体１２が座部１１に取り付けられたときのガラス２１，３１の対向する距離は、例えば、０．６ｍｍ以上、１．０ｍｍ以下であってもよい。
【００６９】
送信電力を大きくするには、送電コイル２４および受電コイル３４の外径を大きくすればよい。送電コイル２４および受電コイル３４の外径を大きくした場合、ガラス２１，３１の直径内に、送電コイル２４、受電コイル３４、およびアンテナ２５，３５が収まるように、ガラス２１，３１の直径を大きくする。ガラス２１，３１の直径を大きくした場合、所望の強度が得られるようにガラス２１，３１の厚さを厚くする。ただし、送電コイル２４および受電コイル３４の距離は、電力効率に影響することに留意する。
【００７０】
また、通信速度を大きくするには、アンテナ２５，３５の外径を大きくすればよい。アンテナ２５，３５の外径を大きくした場合、ガラス２１，３１の直径内に、送電コイル２４、受電コイル３４、およびアンテナ２５，３５が収まるように、ガラス２１，３１の直径を大きくする。ガラス２１，３１の直径を大きくした場合、所望の強度が得られるようにガラス２１，３１の厚さを厚くする。ただし、アンテナ２５，３５の距離は、通信速度に影響することに留意する。
【００７１】
図８は、監視カメラ１のブロック構成例を示した図である。図８において、図１〜図７と同じものには同じ符号が付してある。図８に示すように、座部１１は、制御部４１と、電源部４２と、送電部４３と、通信部４４，４５と、記憶部４６と、を有している。カメラ本体１２は、制御部５１と、受電部５２と、通信部５３と、光学ユニット５４と、記憶部５５と、を有している。
【００７２】
制御部４１は、座部１１全体を制御する。制御部４１は、例えば、ＣＰＵ（Central Processing Unit）によって構成されてもよい。
【００７３】
電源部４２には、外部電源の電力が供給される。例えば、電源部４２には、ＡＣ１００Ｖの電力が供給される。電源部４２は、外部電源の電力を各部に供給する。
【００７４】
送電部４３は、図７に示した送電コイル２４を有している。送電部４３は、送電コイル２４を介して、電源部４２から供給される電力を、カメラ本体１２に無線によって送電する。
【００７５】
通信部４４は、図７に示したアンテナ２５を有している。通信部４４は、アンテナ２５を介して、カメラ本体１２の通信部５３と無線通信する。
【００７６】
通信部４４は、カメラ本体１２から送信される映像データを受信する。制御部４１は、通信部４４が受信した映像データを、通信部４５を介して、ネットワークに接続されたサーバまたは端末装置に送信してもよい。
【００７７】
通信部４５は、インターネット等のネットワークに接続されている。通信部４５は、例えば、ネットワークに接続されたサーバまたは端末装置と通信する。
【００７８】
ネットワークに接続されたサーバまたは端末装置は、監視カメラ１に対し、例えば、撮影の開始および停止を制御する制御信号を送信してもよい。また、ネットワークに接続されたサーバまたは端末装置は、監視カメラ１に対し、例えば、パン方向およびチルト方向の可動を制御する制御信号を送信してもよい。制御部４１は、ネットワークに接続されたサーバまたは端末装置から送信された制御信号を、通信部４４を介して、カメラ本体１２に送信する。
【００７９】
記憶部４６は、制御部４１が動作するためのプログラムが記憶される。また、記憶部４６には、制御部４１が計算処理を行うためのデータ、または、制御部４１が各部を制御するためのデータ等が記憶される。記憶部４６は、ＲＡＭ（Random Access Memory）、ＲＯＭ（Read Only Memory）、フラッシュメモリ、およびＨＤＤ（Hard Disk Drive）などの記憶装置によって構成されてもよい。
【００８０】
カメラ本体１２の制御部５１は、カメラ本体１２全体を制御部する。制御部５１は、例えば、ＣＰＵまたはＤＳＰ（Digital signal Processer）によって構成されてもよい。
【００８１】
受電部５２は、図７に示した受電コイル３４を有している。受電部５２は、受電コイル３４を介して、座部１１の送電部４３から無線給電される電力を受電する。受電部５２は、受電した電力を各部に供給する。
【００８２】
通信部５３は、図７に示したアンテナ３５を有している。通信部５３は、アンテナ３５を介して、座部１１の通信部４４と無線通信する。
【００８３】
光学ユニット５４は、例えば、レンズ、撮像素子、チルトモータ、およびパンモータ等を有している。撮像素子は、レンズを介して受光した光を電気信号（映像データ）に変換し、制御部５１に出力する。チルトモータおよびパンモータは、制御部５１から出力される制御信号に応じて、カメラ本体１２をチルト方向およびパン方向に可動する。
【００８４】
記憶部５５は、制御部５１が動作するためのプログラムが記憶される。また、記憶部５５には、制御部５１が計算処理を行うためのデータ、または、制御部５１が各部を制御するためのデータ等が記憶される。記憶部５５は、ＲＡＭ、ＲＯＭ、フラッシュメモリ、およびＨＤＤなどの記憶装置によって構成されてもよい。
【００８５】
以上説明したように、監視カメラ１は、筺体外側に嵌合部２０を備え、構造物Ａ１に固定される座部１１と、筺体外側に嵌合部２０と着脱自在の嵌合部３０を備えたカメラ本体１２と、を備える。カメラ本体１２の嵌合部３０は、座部１１の嵌合部２０を嵌入する窪み３０ａを備える。窪み３０ａの底面と対向する嵌合部２０の面は、ガラス２１によって構成される。嵌合部３０の窪み３０ａの底面は、ガラス３１によって構成される。座部１１は、ガラス２１の下側に電力を無線送電する送電コイル２４を備える。監視カメラ本体１２は、ガラス３１の下側に電力を受電する受電コイル３４を備える。
【００８６】
このように、監視カメラ１のカメラ本体１２は、窪み３０ａの底面にガラス３１が配置される。そして、カメラ本体１２は、ガラス３１の下側に、受電コイル３４とアンテナ３５とが配置される。このため、ガラス３１、受電コイル３４、およびアンテナ３５は、カメラ本体１２の筐体表面（筐体外側）において、奥まった位置に配置され、カメラ本体１２の移動の際または掃除の際等に、他の物体との衝突等による破損から保護される。
【００８７】
また、監視カメラ１は、汚れが付着する場合がある。例えば、監視カメラ１は、屋外等の環境下においては、多くの汚れが付着する。監視カメラ１のカメラ本体１２は、座部１１と着脱自在であるため、座部１１から取り外すことができ、容易に掃除されることができる。
【００８８】
また、監視カメラ１の筐体（筐体表面）は、ステンレスおよびガラス２１，３１によって構成される。このため、監視カメラ１は、耐薬品性を有し、清掃の際に用いられる薬品の使用制限が少ない。
【００８９】
また、送電コイル２４は、嵌合部２０のガラス２１の下側に配置される。受電コイル３４は、嵌合部３０のガラス３１の下側に配置される。このため、座部１１およびカメラ本体１２は、例えば、雨等による漏電を抑制できる。また、座部１１およびカメラ本体１２は、清掃の際、水または薬品等が筐体内に入ることを抑制できる。また、座部１１およびカメラ本体１２の清掃が容易となる。
【００９０】
（変形例１）
カメラ本体１２は、Ｗｉ−Ｆｉまたはブルートゥース等の無線通信機能を有し、この無線通信機能によって、座部１１と無線通信してもよい。また、カメラ本体１２は、Ｗｉ−Ｆｉまたはブルートゥース等の無線通信機能によって、座部１１以外の機器と無線通信してもよい。この場合、座部１１およびカメラ本体１２は、ガラス２１，３１の下側にアンテナ２５，３５を備えなくてもよい。
【００９１】
（変形例２）
監視カメラ１は、アンテナ２５，３５を備え、送電コイル２４および受電コイル３４を備えなくてもよい。この場合、カメラ本体１２は、電源ケーブルを備え、電源ケーブルから電力が供給されてもよい。
【００９２】
（変形例３）
上記では、本開示の電子機器を監視カメラに適用した例について説明したが、これに限られない。本開示の電子機器は、例えば、電気自動車に適用してもよい。この場合、電気自動車本体は、カメラ本体１２に対応してもよい。充電スタンドの充電プラグが嵌合される電気自動車のコネクタは、嵌合部３０に対応してもよい。座部１１は、例えば、地面に固定された充電スタンドに対応してもよい。充電スタンドから伸びるケーブルの先の充電プラグは、座部１１の嵌合部２０に対応してもよい。
【００９３】
上記の実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）、又は、ＬＳＩ内部の回路セルの接続や設定を再構成可能なリコンフィギュラブル・プロセッサを利用してもよい。
【００９５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【００９６】
本開示は、構造物に対し、着脱可能な電子機器において、破損を抑制できる電子機器に有用である。
【符号の説明】
【００９７】
１  監視カメラ
１１  座部
１２  カメラ本体
１３，１４  軸
２０，３０  嵌合部
２１，３１  ガラス
２２，３２  輪部材
２２ａ〜２２ｃ  鍔部
２３，３０ａ  窪み
２４  送電コイル
２５，３５  アンテナ
３２ａ〜３２ｃ  受け部
３２ｃａ  溝
３３ａ  ボタン
３３ｂ  ピン
３４  受電コイル
【図１】
2020144157.tif 000003
【図２】
2020144157.tif 000004
【図３】
2020144157.tif 000005
【図４】
2020144157.tif 000006
【図５】
2020144157.tif 000007
【図６】
2020144157.tif 000008
【図７】
2020144157.tif 000009
【図８】
2020144157.tif 000010
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
構造物に固定される座部と、
監視カメラのカメラ本体である電子機器本体と、を備え、
前記座部は、
筐体外側に第１の嵌合部と、
筐体内側に、平面視において第１のガラスの外縁内に収まる位置に電力を無線送電
する送電コイルと、を有し、
前記電子機器本体は、
筐体外側に前記第１の嵌合部に対して着脱自在の第２の嵌合部と、
筐体内側に、平面視において第２のガラスの外縁内に収まる位置に前記電力を受電
する受電コイルと、を有し、
前記第２の嵌合部は、
前記第１の嵌合部を嵌入し、前記第２のガラスにより構成される底面を有する窪み
を有し、
前記第１の嵌合部は、
前記第１のガラスにより構成され、前記窪みの前記底面と対向する面を有する、
電子機器。
【請求項２】
前記電子機器本体の筐体は、ステンレスによって構成される、
請求項１に記載の電子機器。
【請求項３】
前記座部の筺体内側であって、平面視において前記第１のガラスの外縁内に収まる位置に、第１のアンテナが備えられており、
前記電子機器本体の筺体内側であって、平面視において前記第２のガラスの外縁内に収まる位置に、前記第１のアンテナと通信する第２のアンテナが備えられている、
請求項２に記載の電子機器。
【請求項４】
構造物に固定される座部と、
監視カメラのカメラ本体である電子機器本体と、を備え、
前記座部は、
筐体外側に第１の嵌合部と、
筐体内側に、平面視において第１のガラスの外縁内に収まる位置に第１のアンテナと、を有し、
前記電子機器本体は、
筐体外側に前記第１の嵌合部に対して着脱自在の第２の嵌合部と、
筐体内側に、平面視において第２のガラスの外縁内に収まる位置に前記第１のアンテナと通信する第２のアンテナと、を有し、
前記第２の嵌合部は、
前記第１の嵌合部を嵌入し、前記第２のガラスにより構成される底面を有する窪み
を有し、
前記第１の嵌合部は、
前記第１のガラスにより構成され、前記窪みの前記底面と対向する面を有する、
電子機器。
【請求項５】
前記電子機器本体の筐体は、ステンレスによって構成される、
請求項４に記載の電子機器。
【請求項６】
前記座部の筺体内側であって、平面視において前記第１のガラスの外縁内に収まる位置に、電力を無線送電する送電コイルが備えられており、
前記電子機器本体の筺体内側であって、平面視において前記第２のガラスの外縁内に収まる位置に、前記電力を受電する受電コイルが備えられている、
請求項４または５に記載の電子機器。
【手続補正２】
【補正対象書類名】明細書
【補正対象項目名】０００６
【補正方法】変更
【補正の内容】
【０００６】
本発明は、構造物に固定される座部と、監視カメラのカメラ本体である電子機器本体と、を備え、前記座部は、筐体外側に第１の嵌合部と、筐体内側に、平面視において第１のガラスの外縁内に収まる位置に電力を無線送電する送電コイルと、を有し、前記電子機器本体は、筐体外側に前記第１の嵌合部に対して着脱自在の第２の嵌合部と、筐体内側に、平面視において第２のガラスの外縁内に収まる位置に前記電力を受電する受電コイルと、を有し、前記第２の嵌合部は、前記第１の嵌合部を嵌入し、前記第２のガラスにより構成される底面を有する窪みを有し、前記第１の嵌合部は、前記第１のガラスにより構成され、前記窪みの前記底面と対向する面を有する、電子機器を提供する。
【手続補正３】
【補正対象書類名】明細書
【補正対象項目名】０００７
【補正方法】変更
【補正の内容】
【０００７】
また、本発明は、構造物に固定される座部と、監視カメラのカメラ本体である電子機器本体と、を備え、前記座部は、筐体外側に第１の嵌合部と、筐体内側に、平面視において第１のガラスの外縁内に収まる位置に第１のアンテナと、を有し、前記電子機器本体は、筐体外側に前記第１の嵌合部に対して着脱自在の第２の嵌合部と、筐体内側に、平面視において第２のガラスの外縁内に収まる位置に前記第１のアンテナと通信する第２のアンテナと、を有し、前記第２の嵌合部は、前記第１の嵌合部を嵌入し、前記第２のガラスにより構成される底面を有する窪みを有し、前記第１の嵌合部は、前記第１のガラスにより構成され、前記窪みの前記底面と対向する面を有する、電子機器を提供する。